【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
証明書データを印刷用紙に印刷する印刷手段と、該印刷用紙に添付されるマイクロチップのマイクロチップＩＤを読み取るマイクロチップ読み取り手段と、本人証明ＩＤを入力する入力手段と、印刷端末通信手段と、印刷端末制御手段と、を有する印刷端末と、
該印刷端末と通信を行う証明書発行センター通信手段と、少なくとも本人証明ＩＤと証明書データを記憶する証明書記憶手段と、証明書の発行管理データを記憶する発行管理記憶手段と、証明書発行センター制御手段と、を有する証明書発行センターシステムと、
を有する証明書発行システムにおける証明書発行方法であって、
前記印刷端末の印刷端末制御手段は、前記入力手段で入力された本人証明ＩＤと本人を照合するための暗証番号等のデータである照合データ及び前記マイクロチップ読み取り手段で読み取られたマイクロチップＩＤを前記印刷端末通信手段を介して前記証明書発行センターシステムに送信し、
前記証明書発行センターシステムの証明書発行センター制御手段は、前記証明書発行センター通信手段を介して受信した本人証明ＩＤと照合データとで本人照合に成功した後、前記証明書記憶手段の証明書データベースから、前記本人証明ＩＤに対応する発行するための証明書データを検索、読出し、前記証明書発行センター通信手段を介して受信した本人証明ＩＤ、マイクロチップＩＤ及び証明書のアクセス条件を前記発行するための証明書データと関連付けて前記発行管理記憶手段に記憶し、前記証明書発行センター通信手段を介して前記読み出された証明書データを前記印刷端末に送信し、
前記印刷端末の印刷端末制御手段は、前記印刷端末通信手段を介して受信した前記証明書データを、前記マイクロチップが添付された印刷用紙に印刷する、ことを特徴とする証明書発行方法。
【請求項２】
証明書データを印刷用紙に印刷する印刷手段と、該印刷用紙に添付されるマイクロチップのマイクロチップＩＤを読み取るマイクロチップ読み取り手段と、本人証明ＩＤを入力する入力手段と、印刷端末通信手段と、印刷端末制御手段と、を有する印刷端末と、
該印刷端末と通信を行う証明書発行センター通信手段と、少なくとも本人証明ＩＤと証明書データを記憶する証明書記憶手段と、証明書の発行管理データを記憶する発行管理記憶手段と、証明書発行センター制御手段と、を有する証明書発行センターシステムと、
証明書データが印刷された印刷用紙に添付されたマイクロチップのマイクロチップＩＤを読み取るマイクロチップ読み取り手段と、受信したデータを表示する表示手段と、確認端末通信手段と、確認端末制御手段と、を有する確認端末と、
を有する証明書発行システムにおける証明書発行方法であって、
前記印刷端末の印刷端末制御手段は、前記入力手段で入力された本人証明ＩＤと本人を照合するための暗証番号等のデータである照合データ及び前記マイクロチップ読み取り手段で読み取られたマイクロチップＩＤを前記印刷端末通信手段を介して前記証明書発行センターシステムに送信し、
前記証明書発行センターシステムの証明書発行センター制御手段は、前記証明書発行センター通信手段を介して受信した本人証明ＩＤと照合データとで本人照合に成功した後、前記証明書記憶手段の証明書データベースから、前記本人証明ＩＤに対応する発行するための証明書データを検索、読出し、前記証明書発行センター通信手段を介して受信した本人証明ＩＤ、マイクロチップＩＤ及び証明書のアクセス条件を前記発行するための証明書データと関連付けて前記発行管理記憶手段に記憶し、前記証明書発行センター通信手段を介して前記読み出された証明書データを前記印刷端末に送信し、
前記印刷端末の印刷端末制御手段は、前記印刷端末通信手段を介して受信した前記証明書データを、前記マイクロチップが添付された印刷用紙に印刷して証明書を発行し、
前記確認端末の確認端末制御手段は、必要に応じて、前記マイクロチップ読み取り手段により読み取られたマイクロチップＩＤを前記確認端末通信手段を介して前記証明書発行センターシステムに送信し、前記証明書発行センターシステムの証明書発行センター制御手段によって、前記発行管理記憶手段と前記証明記憶手段から、前記送信したマイクロチップＩＤに対応する証明書データを読出され、送信され、前記確認端末制御手段により、前記送信された証明書データを、前記表示手段に表示する、ことを特徴とする証明書発行システムにおける証明書発行方法。
【請求項３】
証明書データを印刷用紙に印刷する印刷手段と、該印刷用紙に添付されるマイクロチップのマイクロチップＩＤを読み取るマイクロチップ読み取り手段と、本人証明ＩＤを入力する入力手段と、印刷端末通信手段と、印刷端末制御手段と、を有する印刷端末と通信可能であって、かつ該印刷端末と通信を行う証明書発行センター通信手段と、少なくとも本人証明ＩＤと証明書データを記憶する証明書記憶手段と、証明書の発行管理データを記憶する発行管理記憶手段と、証明書発行センター制御手段と、を有する証明書発行センターシステムにおける証明書発行方法であって、
前記印刷端末の印刷端末制御手段により、前記入力手段で入力された本人証明ＩＤと本人を照合するための暗証番号等のデータである照合データ及び前記マイクロチップ読み取り手段で読み取られたマイクロチップＩＤを前記印刷端末通信手段を介して受信し、
前記証明書発行センター制御手段により、前記証明書発行センター通信手段を介して受信した本人証明ＩＤと照合データとで本人照合に成功した後、前記証明書記憶手段の証明書データベースから、前記本人証明ＩＤに対応する発行するための証明書データを検索、読出し、前記証明書発行センター通信手段を介して受信した本人証明ＩＤ、マイクロチップＩＤ及び証明書のアクセス条件を前記発行するための証明書データと関連付けて前記発行管理記憶手段に記憶し、前記証明書発行センター通信手段を介して前記読み出された証明書データを前記マイクロチップが添付された前記印刷用紙に印刷するデータとして、前記印刷端末に送信する、ことを特徴とする証明書発行センターシステムにおける証明書発行方法。
【請求項４】
前記証明書記憶手段には、証明書データとともにメールアドレスが記憶されており、前記確認端末から確認要求があった際に、該記憶されたメールアドレス宛に確認要求があったことを通知することを特徴とする請求項２に記載の証明書発行方法。
【請求項５】
前記印刷端末から、前記本人証明ＩＤと前記マイクロチップＩＤの他にメールアドレスが送信され、前記発行管理記憶手段に、該送信されたメールアドレスを記憶し、前記確認端末から確認要求があった際に、該発行管理記憶手段に記憶されたメールアドレス宛に確認要求があったことを通知することを特徴とする請求項３または６の何れか１つに記載の証明書発行方法。
【請求項６】
前記印刷端末から、前記本人証明ＩＤと前記マイクロチップＩＤの他に、暗証番号が送信されることを特徴とする請求項１、２、３、４の何れか１つに記載の証明書発行方法。
【請求項７】
前記印刷端末は、前記受信した証明書データを印刷する際に、再度、前記マイクロチップのＩＤを読み取り、再度読み取られた前記マイクロチップのＩＤと、前記証明書発行センターに既に送信したマイクロチップＩＤとが同じであるかを確認し、確認後に、前記印刷用紙に前記証明書データを印刷することを特徴とする請求項１または２の何れか１つに記載の証明書発行方法。
【請求項８】
前記本人証明ＩＤは、証明書発行申請者が前記証明書データを前記証明書発行センターに登録する際に付与された証明書データに対応するＩＤであることを特徴とする請求項１、２、３、４の何れか１項に記載の証明書発行方法。
【請求項９】
前記証明書発行センターシステムは、料金徴収手段を備え、該料金徴収手段は、前記証明書データの発行時に、手数料の徴収を行うことを特徴とする請求項１、２、３、４のいずれか１項に記載の証明書発行方法。
【請求項１０】
前記印刷端末から、前記本人証明ＩＤと前記マイクロチップＩＤの他に、証明書種別が送信され、前記証明書発行センターシステムは、送信された証明書種別に適合する証明書データを送信することを特徴とする請求項１、２、３、４の何れか１項に記載の証明書発行方法。
【請求項１１】
証明書データを印刷用紙に印刷する印刷手段と、該印刷用紙に添付されるマイクロチップのマイクロチップＩＤを読み取るマイクロチップ読み取り手段と、本人証明ＩＤを入力する入力手段と、印刷端末通信手段と、印刷端末制御手段と、を有する印刷端末と通信を行う証明書発行センター通信手段と、
少なくとも本人証明ＩＤと証明書データを記憶する証明書記憶手段と、
証明書の発行管理データを記憶する発行管理記憶手段と、
前記証明書発行センター通信手段と前記証明書記憶手段と前記発行管理記憶手段とを制御する証明書発行センター制御手段と、を有し、
前記証明書発行センター制御手段により、前記印刷端末の印刷端末制御手段により前記入力手段で入力された本人証明ＩＤと本人を照合するための暗証番号等のデータである照合データ及び前記マイクロチップ読み取り手段で読み取られたマイクロチップＩＤを前記印刷端末通信手段を介して受信し、
前記証明書記憶手段から、前記証明書発行センター通信手段を介して受信した本人証明ＩＤと照合データとで本人照合に成功した後、前記本人証明ＩＤに対応する発行するための証明書データを検索、読出し、前記証明書発行センター通信手段を介して受信した本人証明ＩＤ、マイクロチップＩＤ及び証明書のアクセス条件を前記発行するための証明書データと関連付けて前記発行管理記憶手段に記憶し、前記証明書発行センター通信手段を介して前記読み出された証明書データを前記マイクロチップが添付された前記印刷用紙に印刷するデータとして、前記印刷端末に送信する、ことを特徴とする証明書発行センターシステム。